(57)【特許請求の範囲】
【請求項１】
躯体に取り付けられるメインフレームと、面材を支持するサブフレームとを備え、前記サブフレームを前記メインフレームの見込み面に取り付けることによって構成した建具において、
前記メインフレームは、見込み方向に沿って延在する基板部を有し、
前記サブフレームは、前記基板部に対向するカバー板部の両側縁部から見付け方向に沿って延在する見付けヒレ部を有するとともに、前記見付けヒレ部の間において前記カバー板部から前記基板部に向けて延在した固定板部を有し、
前記基板部から前記固定板部に取付ネジを螺合することにより、前記メインフレームの前記基板部と前記サブフレームの前記カバー板部及び前記見付けヒレ部との間に周囲が囲まれた膨張空間を構成し、前記見付けヒレ部において前記固定板部に対向する見付け面のそれぞれに、高温状態となった場合に膨張する加熱膨張材を配設したことを特徴とする建具。
【請求項２】
前記面材は、四周に框を備え、前記框を介して前記サブフレームに支持させたことを特徴とする請求項１に記載の建具。
【請求項３】
前記メインフレームの長手方向に沿って前記サブフレームを複数並設し、それぞれのサブフレームに前記面材を支持させたことを特徴とする請求項１に記載の建具。
【請求項４】
前記メインフレームの長手方向に沿って互いに形状の異なる複数のサブフレームを並設し、それぞれのサブフレームに前記面材を支持させたことを特徴とする請求項１に記載の建具。
【発明の詳細な説明】
【技術分野】
【０００１】
本発明は、建具に関するもので、特に、躯体に取り付けられるメインフレームと、面材を支持するサブフレームとを備えた建具の防火構造に関するものである。
【背景技術】
【０００２】
建具には、基準となるメインフレームと、面材を支持するサブフレームとを別部品として構成し、メインフレームにサブフレームを取り付けることにより構成したものが提供されている（例えば、特許文献１参照）。この種の建具では、サブフレームの種類を変更すれば、メインフレームを共通化しつつ、面材の開き方を変更することが可能となる。特に、連窓や段窓においては、サブフレームの種類を組み合わせることで、少ない部品点数で多種類の建具に対応することが可能となる。
【先行技術文献】
【特許文献】
【０００３】
【特許文献１】特開平７−１９７７４２号公報
【発明の概要】
【発明が解決しようとする課題】
【０００４】
ところで、躯体に取り付けられたメインフレームは、面材を支持するサブフレームに比べて放熱性が良好となる傾向にある。このため、火災発生時等、高温状態となった場合には、メインフレームとサブフレームとが同じ材質で成形されていたとしても、両者の熱膨張量が相違し、メインフレームとサブフレームとの間に隙間が生じるおそれがある。メインフレームとサブフレームとの間の隙間は、室内外を連通する貫通口となり、火災時に可燃ガスが流通する等の問題を招来する。このため、建具の防火性能を考慮した場合には、メインフレームとサブフレームとの間に隙間ができる事態を如何に防止するかが重要な課題となる。
【０００５】
本発明は、上記実情に鑑みて、火災等によって高温状態となった場合にもメインフレームとサブフレームとの間に貫通口ができる事態を防止することのできる建具を提供することを目的とする。
【課題を解決するための手段】
【０００６】
上記目的を達成するため、本発明に係る建具は、躯体に取り付けられるメインフレームと、面材を支持するサブフレームとを備え、前記サブフレームを前記メインフレームの見込み面に取り付けることによって構成した建具において、前記メインフレームは、見込み方向に沿って延在する基板部を有し、前記サブフレームは、前記基板部に対向するカバー板部の両側縁部から見付け方向に沿って延在する見付けヒレ部を有するとともに、前記見付けヒレ部の間において前記カバー板部から前記基板部に向けて延在した固定板部を有し、前記基板部から前記固定板部に取付ネジを螺合することにより、前記メインフレームの前記基板部と前記サブフレームの前記カバー板部及び前記見付けヒレ部との間に周囲が囲まれた膨張空間を構成し、前記見付けヒレ部において前記固定板部に対向する見付け面のそれぞれに、高温状態となった場合に膨張する加熱膨張材を配設したことを特徴とする。
【０００７】
この発明によれば、高温状態となった場合、加熱膨張材が膨張し、メインフレームとサブフレームとの間の隙間に充填されることになるため、室内外を連通する貫通口が形成されるおそれがなくなる。
【０００９】
この発明によれば、サブフレームにおいてメインフレームに対向する見込み面が加熱膨張材によって覆われることがないため、補強のための裏板や各種部品を取り付けることが可能となる。
【００１０】
また本発明は、上述した建具において、前記面材は、四周に框を備え、前記框を介して前記サブフレームに支持させたことを特徴とする。
【００１１】
この発明によれば、框を介して面材をサブフレームに支持させた建具において、メインフレームとサブフレームとの間に貫通口が形成される事態を防止することができる。
【００１２】
また本発明は、上述した建具において、前記メインフレームの長手方向に沿って前記サブフレームを複数並設し、それぞれのサブフレームに前記面材を支持させたことを特徴とする。
【００１３】
この発明によれば、複数の面材を備えた段窓や連窓と称される建具において、メインフレームとサブフレームとの間に貫通口が形成される事態を防止することができる。
【００１４】
また本発明は、上述した建具において、前記メインフレームの長手方向に沿って互いに形状の異なる複数のサブフレームを並設し、それぞれのサブフレームに前記面材を支持させたことを特徴とする。
【００１５】
この発明によれば、形状の異なる複数の面材を備えた段窓や連窓と称される建具において、メインフレームとサブフレームとの間に貫通口が形成される事態を防止することができる。
【発明の効果】
【００１６】
本発明によれば、高温状態となった場合、加熱膨張材が膨張し、メインフレームとサブフレームとの間の隙間に充填されることになるため、室内外を連通する貫通口が形成されるおそれがなくなる。
【図面の簡単な説明】
【００１７】
【図１】図１は、本発明の実施の形態である建具を室内側から見た図である。
【図２】図２は、図１に示した建具の縦断面図である。
【図３】図３は、図１に示した建具の外倒し窓部分における横断面図である。
【図４】図４は、図１に示した建具のＦＩＸ窓部分における横断面図である。
【発明を実施するための形態】
【００１８】
以下、添付図面を参照しながら本発明に係る建具の好適な実施の形態について詳細に説明する。
【００１９】
図１〜図４は、本発明の実施の形態である建具を示したものである。ここで例示する建具は、ＦＩＸ窓（はめ殺し窓）と外倒し窓とが上下に並設された段窓と称されるもので、特にビルの窓用に構成したものである。この建具は、ＦＩＸ用ガラス（面材）１０、外倒し用障子（面材）２０及び開口枠３０を備えている。ＦＩＸ用ガラス１０は、外形が矩形の複層ガラスである。本実施の形態では、フロートガラスパネル１０ａと、内部に金網を封入した網入りガラスパネル１０ｂとを備え、スペーサ１０ｃを介してこれら２枚のガラスパネル１０ａ，１０ｂを接合した複層ガラスを適用している。
【００２０】
外倒し用障子２０は、ＦＩＸ用ガラス１０と同様の矩形状を成す複層ガラス２１の四周に上框２２、下框２３及び左右の縦框２４を装着し、框２２，２３，２４の相互間をネジ（図示せず）によって連結することにより構成したものである。外倒し用障子２０を構成するそれぞれの框２２，２３，２４は、アルミニウムやアルミニウム合金等の金属によって成形した押し出し形材であり、それぞれが全長に渡ってほぼ一様な断面形状を有するように構成してある。
【００２１】
本実施の形態では、框基部２２ａ，２３ａ，２４ａ、カバー板部２２ｂ，２３ｂ，２４ｂ、框支持板部２２ｃ，２３ｃ，２４ｃ、框押縁係合部２２ｄ，２３ｄ，２４ｄ及び框押縁係止突起２２ｅ，２３ｅ，２４ｅを有した框２２，２３，２４を適用している。框基部２２ａ，２３ａ，２４ａは、ほぼ矩形の筒状を成す部分であり、複層ガラス２１よりも大きな見込み寸法を有するように構成してある。カバー板部２２ｂ，２３ｂ，２４ｂは、框基部２２ａ，２３ａ，２４ａの外周側となる見込み面において室外側に位置する縁部から外周側に向けてほぼ直交する方向に沿って延在した薄板状部分である。框支持板部２２ｃ，２３ｃ，２４ｃは、框基部２２ａ，２３ａ，２４ａの内周側となる見込み面において室外側に位置する縁部からほぼ直交する方向に沿って延在した部分である。框押縁係合部２２ｄ，２３ｄ，２４ｄは、框基部２２ａ，２３ａ，２４ａの内周側となる見込み面において室内側に位置する縁部から内周側に向けて突出した後、室外側に向けて屈曲した部分である。框押縁係止突起２２ｅ，２３ｅ，２４ｅは、框基部２２ａ，２３ａ，２４ａの内周側となる見込み面において框支持板部２２ｃ，２３ｃ，２４ｃと框押縁係合部２２ｄ，２３ｄ，２４ｄとの間のほぼ中間となる位置に設けた突出部である。この框押縁係止突起２２ｅ，２３ｅ，２４ｅは、見込み面から内周側に向けて突出した後、室内側に向けてほぼ直角に屈曲している。
【００２２】
上記のように構成した框２２，２３，２４は、それぞれの框支持板部２２ｃ，２３ｃ，２４ｃに複層ガラス２１の網入りガラスパネル２１ａを当接させた状態で、框押縁係止突起２２ｅ，２３ｅ，２４ｅ及び框押縁係合部２２ｄ，２３ｄ，２４ｄを介して框押縁２５を装着し、框支持板部２２ｃ，２３ｃ，２４ｃと框押縁２５との間に複層ガラス２１を挟持することによって外倒し用障子２０を構成している。
【００２３】
開口枠３０は、上枠３１、下枠３２、左右の縦枠３３を四周枠組みすることによって縦長の矩形状に構成したものである。図１からも明らかなように、本実施の形態で例示する開口枠３０は、左右の縦枠３３の間に上枠３１、下枠３２を配置することによって構成した、いわゆる「縦通し枠」と称されるものである。縦枠３３の長手方向に沿った寸法は、上枠３１の長手方向に沿った寸法のほぼ２倍に構成してある。開口枠３０の内部は、左右の縦枠３３の間に上枠３１と平行となるように無目枠３４を配設することによって上下に二分割してある。無目枠３４よりも上方となる部位には、外倒し用障子２０を装着することのできる上方開口３０Ａが構成され、かつ無目枠３４よりも下方となる部位には、ＦＩＸ用ガラス１０を装着することのできる下方開口３０Ｂが構成されている。開口枠３０を構成するそれぞれの枠３１，３２，３３，３４は、アルミニウムやアルミニウム合金等の金属によって成形した押し出し形材であり、それぞれが全長に渡ってほぼ一様な断面形状を有するように構成してある。
【００２４】
上枠３１は、外倒し用障子２０を装着する場合に適用される専用部品である。本実施の形態では、図２に示すように、板状を成す上基板部３１ａの両側にそれぞれ上見付け板部３１ｂを有するとともに、上基板部３１ａの下方に臨む見込み面に上方当接板部３１ｃを有した上枠３１を例示している。上基板部３１ａは、外倒し用障子２０よりも大きな見込み寸法を有するように構成してある。上見付け板部３１ｂは、上基板部３１ａの両側縁部からほぼ直角に屈曲して上方に延在した板状部分である。上見付け板部３１ｂの延在端部は、互いに対向する方向に向けてほぼ直角に屈曲することにより、上方アンカー係止爪部３１ｄを構成している。上方当接板部３１ｃは、上基板部３１ａの見込み面からほぼ鉛直下方に向けて延在した部分である。上方当接板部３１ｃの延在端部には、室外に臨む部位にタイト材装着溝３１ｅが設けてある。
【００２５】
下枠３２は、ＦＩＸ用ガラス１０を装着する場合に適用される専用部品である。本実施の形態では、下基板部３２ａ、下外支持板部３２ｂ、下内支持板部３２ｃ、下外見付け板部３２ｄ、下内見付け板部３２ｅを有した下枠３２を例示している。下基板部３２ａは、室外側に位置する部分が平板状を成し、かつ室内側に位置する縁部が上方に向けて傾斜するように屈曲した板状部分である。下基板部３２ａにおいて平板状を成す部分は、ＦＩＸ用ガラス１０よりも大きな見込み寸法を有するように構成してある。下外支持板部３２ｂは、下基板部３２ａの見込み面において室外側に位置する縁部からほぼ直交する方向に沿って上方に延在した部分である。下内支持板部３２ｃは、下基板部３２ａの見込み面において室内側に位置する縁部からほぼ直交する方向に沿って上方に延在した後、室外側に向けて屈曲した部分であり、下外支持板部３２ｂとの間にガラス収容溝３２ｆを構成している。ガラス収容溝３２ｆは、ＦＩＸ用ガラス１０の下縁部を収容するための上方に開口した凹所であり、下枠３２の長手方向に沿った全長に形成してある。下外見付け板部３２ｄは、下基板部３２ａの平板状を成す部分の下方に臨む見込み面から下方に延在した後、室外側、下方、室内側、下方の順に屈曲して延在した部分である。下外見付け板部３２ｄにおいて室外側に屈曲した部分の下方に臨む面には、外方アンカー係止爪部３２ｇが設けてある。外方アンカー係止爪部３２ｇは、下方に向けて延在した後に室内側に向けて屈曲した部分である。下内見付け板部３２ｅは、下基板部３２ａの室内側に位置する縁部からほぼ直交する方向に沿って下方に延在した部分である。下内見付け板部３２ｅの延在端部は、室外側に向けて屈曲し、内方アンカー係止爪部３２ｈを構成している。
【００２６】
無目枠３４は、上方に外倒し用障子２０を装着し、かつ下方にＦＩＸ用ガラス１０を装着した段窓を構成する場合に適用される専用部品である。本実施の形態では、異形の筒状に構成した無目枠３４を適用している。この無目枠３４には、上枠３１に対向する見込み面において室内側に位置する縁部に当接部３４ａが設けてあり、さらに下枠３２に対向する見込み面に無目支持板部３４ｂ、枠押縁係合部３４ｃ及び枠押縁係止突起３４ｄが設けてある。当接部３４ａは、無目枠３４の上枠３１に対向する見込み面からほぼ鉛直上方に向けて突出した中空部分である。当接部３４ａの室外に臨む見付け面は、上枠３１に設けた上方当接板部３１ｃの見付け面とほぼ同じ位置に構成してある。当接部３４ａの延在端部には、室外に臨む部位に上方当接板部３１ｃのタイト材装着溝３１ｅと同一形状のタイト材装着溝３４ｅが設けてある。無目支持板部３４ｂは、無目枠３４の下枠３２に対向する見込み面において室外側に位置する縁部からほぼ鉛直下方に向けて延在した部分である。この無目支持板部３４ｂは、室内に臨む見付け面が下枠３２に形成した下外支持板部３２ｂとほぼ同一の見込み位置となるように構成してある。枠押縁係合部３４ｃは、無目枠３４の下枠３２に対向する見込み面から下枠３２に向けて突出した後、室外側に向けて屈曲した部分である。この枠押縁係合部３４ｃは、下枠３２に形成した下内支持板部３２ｃの室外側に位置する延在端部とほぼ同じ見込み位置に設けてある。枠押縁係止突起３４ｄは、無目枠３４の下枠３２に対向する見込み面において無目支持板部３４ｂと枠押縁係合部３４ｃとの間のほぼ中間となる位置に設けた突出部である。この枠押縁係止突起３４ｄは、見込み面から下枠３２に向けて突出した後、室内側に向けてほぼ直角に屈曲している。また、無目枠３４には、ヒンジ取付板部３４ｆが設けてある。ヒンジ取付板部３４ｆは、当接部３４ａの室外に臨む見付け面から室外側に向けて突出した板状部分である。
【００２７】
一方、開口枠３０の縦枠３３は、図３及び図４に示すように、互いに別個に成形したメインフレーム１３３及び２種類のサブフレーム２３３，３３３を備えている。メインフレーム１３３は、いずれの段窓を構成する場合にも共通に用いられる共用部品であり、図１に示すように、上枠３１から下枠３２までの全長にわたる長さを有するように構成してある。これに対してサブフレーム２３３，３３３は、上枠３１と無目枠３４との間に配置されるものと、無目枠３４と下枠３２との間に配置されるものとが個別に用意してある。無目枠３４よりも上方に配置されるサブフレーム２３３は、外倒し用障子２０を装着する場合に適用される専用部品であり、無目枠３４よりも下方に配置されるサブフレーム３３３は、ＦＩＸ用ガラス１０を装着する場合に適用する専用部品であり、相互に形状が異なっている。以下においては便宜上、無目枠３４よりも上方に配置したものを「上方サブフレーム２３３」と称し、無目枠３４よりも下方に配置したものを「下方サブフレーム３３３」と称して説明を行うこととする。
【００２８】
本実施の形態で適用するメインフレーム１３３は、平板状を成す縦基板部１３３ａの両側にそれぞれ縦見付け板部１３３ｂを有している。縦基板部１３３ａは、ＦＩＸ用ガラス１０及び外倒し用障子２０の双方よりも大きな見込み寸法を有するように構成してある。縦見付け板部１３３ｂは、縦基板部１３３ａに対してほぼ直交するように延在する薄板部分である。これらの縦見付け板部１３３ｂは、縦基板部１３３ａから内周側に突出する部分が平板状を成す一方、縦基板部１３３ａから外周側に突出する部分が互いに対向する方向に向けてほぼ直角に屈曲することによって縦アンカー係止爪部１３３ｃを構成している。
【００２９】
上方サブフレーム２３３は、図３に示すように、上カバー板部２３３ａ、上側方当接板部２３３ｂ、上固定板部２３３ｃ、一対の上見付けヒレ部２３３ｄを有している。上カバー板部２３３ａは、メインフレーム１３３において一対の縦見付け板部１３３ｂの間を覆うことのできる見込み寸法を有した平板状部分である。上側方当接板部２３３ｂは、上カバー板部２３３ａの内周に臨む見込み面において上枠３１の上方当接板部３１ｃに対応する部位からほぼ直交する方向に沿って延在した部分である。上側方当接板部２３３ｂには、延在端部において室外に臨む部位に上方当接板部３１ｃのタイト材装着溝３１ｅと同一形状のタイト材装着溝２３３ｅが設けてある。上固定板部２３３ｃは、上カバー板部２３３ａの外周に臨む見込み面において上側方当接板部２３３ｂよりもわずかに室外側となる部位に設けた突出部である。この上固定板部２３３ｃは、上カバー板部２３３ａの見込み面からほぼ直交する方向に沿って延在した後、室内側に向けてほぼ直角に屈曲している。上固定板部２３３ｃの寸法は、メインフレーム１３３に設けた一対の縦見付け板部１３３ｂの間を上カバー板部２３３ａによって覆った場合に、屈曲した延在端部が縦基板部１３３ａに当接することができるように設定してある。上見付けヒレ部２３３ｄは、上カバー板部２３３ａの外周に臨む見込み面の両側縁部からほぼ直交する方向に沿って延在した薄板状部分である。上見付けヒレ部２３３ｄの突出寸法は、上固定板部２３３ｃの突出寸法とほぼ同じである。
【００３０】
下方サブフレーム３３３は、図４に示すように、下カバー板部３３３ａ、下側方支持板部３３３ｂ、縦押縁係合部３３３ｃ、縦押縁係止突起３３３ｄ、下固定板部３３３ｅ、一対の下見付けヒレ部３３３ｆを有している。下カバー板部３３３ａは、メインフレーム１３３に設けた一対の縦見付け板部１３３ｂの相互間隔よりもわずかに小さい見込み寸法を有した平板状部分である。下側方支持板部３３３ｂは、下カバー板部３３３ａの内周に臨む見込み面において室外側に位置する縁部からほぼ直交する方向に沿って延在した部分である。縦押縁係合部３３３ｃは、下カバー板部３３３ａの内周に臨む見込み面において下側方支持板部３３３ｂとの間にＦＩＸ用ガラス１０の見込み寸法よりも大きな間隔を確保した位置に設けた突出部である。この縦押縁係合部３３３ｃは、下カバー板部３３３ａの見込み面からほぼ直交する方向に向けて突出した後、室外側に向けて屈曲した部分である。縦押縁係止突起３３３ｄは、下カバー板部３３３ａの内周に臨む見込み面において下側方支持板部３３３ｂと縦押縁係合部３３３ｃとの間のほぼ中間となる位置に設けた突出部である。この縦押縁係止突起３３３ｄは、見込み面からほぼ直交する方向に沿って突出した後、室内側に向けてほぼ直角に屈曲している。下固定板部３３３ｅは、下カバー板部３３３ａの外周に臨む見込み面において縦押縁係合部３３３ｃとほぼ同じ見込み位置からほぼ直交する方向に沿って延在した後、室内側に向けてほぼ直角に屈曲している。下固定板部３３３ｅの寸法は、メインフレーム１３３に設けた一対の縦見付け板部１３３ｂの間を下カバー板部３３３ａによってほぼ覆った場合に、屈曲した延在端部が縦基板部１３３ａに当接することができるように設定してある。下見付けヒレ部３３３ｆは、下カバー板部３３３ａの外周に臨む見込み面の両側縁部からほぼ直交する方向に沿って延在した薄板状部分である。下見付けヒレ部３３３ｆの突出寸法は、下固定板部３３３ｅの突出寸法とほぼ同じである。
【００３１】
上記のように構成した上方サブフレーム２３３は、上カバー板部２３３ａによってメインフレーム１３３の一対の縦見付け板部１３３ｂの間を覆った状態で、メインフレーム１３３の縦基板部１３３ａから上固定板部２３３ｃに対応する部位の複数箇所に所定ピッチで取付ネジＢを螺合することによってメインフレーム１３３に固定される。同様に、下方サブフレーム３３３は、下カバー板部３３３ａによってメインフレーム１３３の一対の縦見付け板部１３３ｂの間を覆った状態で、メインフレーム１３３の縦基板部１３３ａから下固定板部３３３ｅに対応する部位の複数箇所に所定ピッチで取付ネジＢを螺合することによってメインフレーム１３３に固定される。
【００３２】
この状態においては、図３及び図４に示すように、メインフレーム１３３と上方サブフレーム２３３との間、並びにメインフレーム１３３と下方サブフレーム３３３との間にそれぞれ膨張空間Ｒが構成されることになる。すなわち、メインフレーム１３３と上方サブフレーム２３３との間においては、メインフレーム１３３の縦基板部１３３ａと、上方サブフレーム２３３の上カバー板部２３３ａ及び一対の上見付けヒレ部２３３ｄとによって周囲が囲まれた上方膨張空間Ｒが構成される。メインフレーム１３３と下方サブフレーム３３３との間においては、メインフレーム１３３の縦基板部１３３ａと、下方サブフレーム３３３の下カバー板部３３３ａ及び一対の下見付けヒレ部３３３ｆとによって周囲が囲まれた下方膨張空間Ｒが構成されることになる。これらの膨張空間Ｒには、それぞれ加熱膨張材４０が配設してある。
【００３３】
加熱膨張材４０は、膨張黒煙等、高温状態となった場合に膨張するものである。本実施の形態では、上方膨張空間Ｒに対しては上方サブフレーム２３３の上見付けヒレ部２３３ｄにおいて上固定板部２３３ｃに対向する見付け面の全長にそれぞれ加熱膨張材４０を貼り付ける一方、下方膨張空間Ｒに対しては下方サブフレーム３３３の下見付けヒレ部３３３ｆにおいて下固定板部３３３ｅに対向する見付け面の全長にそれぞれ加熱膨張材４０を貼り付けるようにしている。貼り付ける加熱膨張材４０の量は、加熱して膨張した場合に、それぞれの膨張空間Ｒに隙間なく充填されるように設定してある。
【００３４】
上記のよう構成した開口枠３０は、例えばビルの躯体Ｗに形成した開口部に対してそれぞれアンカーブラケットＵＢを介して装着される。すなわち、上枠３１に設けた上方アンカー係止爪部３１ｄの相互間、下枠３２に設けた外方アンカー係止爪部３２ｇと内方アンカー係止爪部３２ｈとの間、メインフレーム１３３に設けた縦アンカー係止爪部１３３ｃの相互間にアンカーブラケットＵＢを係止させることにより、躯体Ｗの開口部に開口枠３０を設置することが可能となる。この開口枠３０に対しては、上方開口３０Ａに外倒し用障子２０を装着し、かつ下方開口３０ＢにＦＩＸ用ガラス１０を装着すれば、ＦＩＸ窓と外倒し窓とが上下に並設された段窓を構成することができる。
【００３５】
具体的には、図２に示すように、外倒し用障子２０の下框２３と無目枠３４のヒンジ取付板部３４ｆとの間をヒンジ５０によって連結すれば、開口枠３０に対して外倒し用障子２０を開閉可能に支持させることができる。上枠３１の上方当接板部３１ｃに設けたタイト材装着溝３１ｅ、無目枠３４の当接部３４ａに設けたタイト材装着溝３４ｅ及び上方サブフレーム２３３の上側方当接板部２３３ｂに設けたタイト材装着溝２３３ｅに一連のタイト材４１を装着すれば、外倒し用障子２０を閉じた場合にタイト材４１がそれぞれの框２２，２３，２４の見付け面に圧接されることになり、所望の気密性や水密性を確保することが可能となる。尚、図には明示していないが、この外倒し用障子２０は、オペレータハンドルの操作によりワイヤーを介して開閉操作するように構成したものである。但し、本発明は必ずしもオペレータハンドルの操作によって開閉するものである必要はない。例えば、上枠３１と外倒し用障子２０の上框２２との間に、外倒し用障子２０を閉じた状態に維持するラッチを設け、このラッチの操作によって外倒し用障子２０を開閉するようにしても良い。
【００３６】
ＦＩＸ用ガラス１０については、下枠３２の下外支持板部３２ｂ、無目枠３４の無目支持板部３４ｂ及び下方サブフレーム３３３の下側方支持板部３３３ｂに対して網入りガラスパネル１０ｂを当接させるとともに、下縁部を下枠３２のガラス収容溝３２ｆに収容させる。この状態から枠押縁係合部３４ｃ及び枠押縁係止突起３４ｄを介して無目枠３４に押縁４２を装着し、かつ縦押縁係合部３３３ｃ及び縦押縁係止突起３３３ｄを介して下方サブフレーム３３３に押縁４３を装着すれば、それぞれの支持板部３４ｂ，３３３ｂと押縁４２，４３との間にＦＩＸ用ガラス１０を挟持することができる。
【００３７】
この建具によれば、外倒し用障子２０を支持する上方サブフレーム２３３及びＦＩＸ用ガラス１０を支持する下方サブフレーム３３３をそれぞれメインフレーム１３３とは別部品として構成し、メインフレーム１３３にサブフレーム２３３，３３３を取り付けることによって縦枠３３を構成しているため、サブフレーム２３３，３３３を変更することで共通のメインフレーム１３３を適用しつつ、異なる面材を備えた建具を構成することが可能となる。
【００３８】
しかも、火災発生時等、高温状態となった場合には、上方サブフレーム２３３及び下方サブフレーム３３３に配設した加熱膨張材４０がそれぞれ膨張することになる。一般に、躯体Ｗに支持させたメインフレーム１３３と躯体Ｗから離隔して配置されるサブフレーム２３３，３３３とでは、放熱性が異なり、高温となるサブフレーム２３３，３３３のみが波状に湾曲し、両者に隙間が生じるおそれがある。しかしながら、たとえサブフレーム２３３，３３３が湾曲状に熱変形した場合にも、膨張した加熱膨張材４０によってメインフレーム１３３とサブフレーム２３３，３３３との間に生じた隙間が閉塞されることになる。従って、上記建具によれば、火災発生時においても室内外を連通する貫通口が形成されるおそれがなく、可燃性ガスが室内外で流通する事態を防止することができる等、防火性能を向上させることが可能となる。
【００３９】
さらに、メインフレーム１３３とサブフレーム２３３，３３３との間に構成した膨張空間Ｒにおいて加熱膨張材４０が膨張した場合には、加熱膨張材４０の膨張圧力により、躯体Ｗに取り付けられたメインフレーム１３３に対してサブフレーム２３３，３３３が内周側に変形する。特に、本実施の形態では、メインフレーム１３３とサブフレーム２３３，３３３との間が上固定板部２３３ｃ及び下固定板部３３３ｅによって連結されているのみであり、室外側の縁部及び室外側の縁部については互いの間を連結していない。従って、加熱膨張材４０が膨張した場合には、サブフレーム２３３，３３３の室外側縁部及び室内側縁部がそれぞれ内周側に突出するように変形することになる。これにより、火災発生時には、開口枠３０の下方開口３０Ｂに装着したＦＩＸ用ガラス１０と下方サブフレーム３３３に設けた下側方支持板部３３３ｂとの掛かり代が増大することになり、ＦＩＸ用ガラス１０が開口枠３０から脱落する事態を防止することができるようになる。
【００４０】
尚、上述した実施の形態では、ＦＩＸ窓と外倒し窓とが上下に並設されたビル用の段窓を例示しているが、必ずしもビル用の建具である必要はなく、またその他の障子を組み合わせた段窓にももちろん適用することが可能である。この場合、必ずしも異なる障子を組み合わせる必要はなく、同じ障子を組み合わせても良い。適用するガラスについては、必ずしもフロートガラスパネルと網入りガラスパネルとの複層ガラスである必要はない。さらに、メインフレームを上下方向に沿って配置する建具に限らず、メインフレームを左右方向に沿って配置して建具を構成することも可能である。
【００４１】
また、上述した実施の形態では、サブフレームに設けた見付けヒレ部に加熱膨張材を貼り付けるようにしているため、サブフレームにおいてメインフレームに対向する見込み面が加熱膨張材によって覆われることがないため、補強のための裏板や各種部品を取り付けることが可能となるとなる利点を有する。しかしながら、本発明は、必ずしもこれに限定されず、サブフレームにおいてメインフレームに対向する見込み面やメインフレームに加熱膨張材を配設しても構わない。
【００４２】
さらに、上述した実施の形態では、サブフレームがメインフレームの見込み寸法内に納まるものを例示しているが、サブフレームの一部がメインフレームの見込み面を超えて延在する建具にも適用することは可能である。
【符号の説明】
【００４３】
１０  ＦＩＸ用ガラス、２０  外倒し用障子、２２，２３，２４  框、３３  縦枠、４０  加熱膨張材、１３３  メインフレーム、２３３，３３３  サブフレーム、２３３ｄ，３３３ｆ  見付けヒレ部、Ｒ  膨張空間、Ｗ  躯体
【図１】
0006591764.tif 000002
【図２】
0006591764.tif 000003
【図３】
0006591764.tif 000004
【図４】
0006591764.tif 000005